【手続補正書】
【提出日】平成16年11月5日(2004.11.5)
【手続補正１】
【補正対象書類名】明細書
【補正対象項目名】発明の名称
【補正方法】変更
【補正の内容】
【発明の名称】コンテンツ管理方法、コンテンツ管理装置および記録媒体
【手続補正２】
【補正対象書類名】明細書
【補正対象項目名】特許請求の範囲
【補正方法】変更
【補正の内容】
【特許請求の範囲】
【請求項１】
一つのコンテンツを複数のデータ形式で管理することができるコンテンツ管理方法において、一つまたは複数のファイルから成るオリジナルコンテンツのデータと、そのオリジナルコンテンツのデータとは異なるデータ形式で表現した複数のデータとをまとめて、論理的な一つのコンテンツとして一括管理することを特徴とするコンテンツ管理方法。
【請求項２】
請求項１記載のコンテンツ管理方法において、コンテンツが映像データまたは音声データである場合、オリジナルコンテンツのファイルと、処理に適したデータ形式のファイル、または利用者の要求に応じて登録したファイルとを一括して管理することを特徴とするコンテンツ管理方法。
【請求項３】
請求項２記載のコンテンツ管理方法において、前記処理を、データ編集、内容記述作業、または配信とすることを特徴とするコンテンツ管理方法。
【請求項４】
請求項２または請求項３記載のコンテンツ管理方法において、オリジナルコンテンツの登録以後、論理コンテンツを特定した処理要求に応じて要求された処理に適したデータ形式のファイルを作成するか、または自由なタイミングで予め想定した複数のデータ形式のファイルを自動的に作成することを特徴とするコンテンツ管理方法。
【請求項５】
請求項１乃至請求項４のいずれかに記載のコンテンツ管理方法おいて、オリジナルコンテンツが複数のデータから構成されている場合、複数のオリジナルコンテンツのデータから成る論理コンテンツに対する各データの割り付け位置と割り付けた長さを管理する管理情報を有し、その管理情報を含めて一括して管理することを特徴とするコンテンツ管理方法。
【請求項６】
請求項５記載のコンテンツ管理方法において、前記論理コンテンツを構成するオリジナルコンテンツの個々のデータが一つのファイルの一部であるか、またはオリジナルコンテンツの個々のデータ間の内容に重複があることを特徴とするコンテンツ管理方法。
【請求項７】
請求項１乃至請求項６のいずれかに記載のコンテンツ管理方法において、コンテンツを示す内容記述情報として、内容について属性を記述することを特徴とするコンテンツ管理方法。
【請求項８】
請求項７記載のコンテンツ管理方法において、内容記述情報が論理構造を有することを特徴とするコンテンツ管理方法。
【請求項９】
請求項１乃至請求項６のいずれかに記載のコンテンツ管理方法において、一括して管理する対象となるデータとして、請求項７または請求項８記載の内容記述情報を含むことを特徴とするコンテンツ管理方法。
【請求項１０】
プログラムを記憶した記録媒体において、請求項１乃至請求項９のいずれかに記載のコンテンツ管理方法を実施するためのプログラムを記録したことを特徴とする記録媒体。
【請求項１１】
一つのコンテンツを複数のデータ形式で管理することができるコンテンツ管理装置において、一つまたは複数のファイルから成るオリジナルコンテンツのデータと、そのオリジナルコンテンツのデータとは異なるデータ形式で表現した複数のデータとをまとめて、論理的な一つのコンテンツとして一括管理することを特徴とするコンテンツ管理装置。
【請求項１２】
請求項１１記載のコンテンツ管理装置において、コンテンツが映像データまたは音声データである場合、オリジナルコンテンツのファイルと、処理に適したデータ形式のファイル、または利用者の要求に応じて登録したファイルとを一括して管理することを特徴とするコンテンツ管理装置。
【請求項１３】
請求項１２記載のコンテンツ管理装置において、前記処理を、データ編集、内容記述作業、または配信とすることを特徴とするコンテンツ管理装置。
【請求項１４】
請求項１２または請求項１３記載のコンテンツ管理装置において、オリジナルコンテンツの登録以後、論理コンテンツを特定した処理要求に応じて要求された処理に適したデータ形式のファイルを作成するか、または自由なタイミングで予め想定した複数のデータ形式のファイルを自動的に作成することを特徴とするコンテンツ管理装置。
【請求項１５】
請求項１１乃至請求項１４のいずれかに記載のコンテンツ管理装置おいて、オリジナルコンテンツが複数のデータから構成されている場合、複数のオリジナルコンテンツのデータから成る論理コンテンツに対する各データの割り付け位置と割り付けた長さを管理する管理情報を有し、その管理情報を含めて一括して管理することを特徴とするコンテンツ管理装置。
【請求項１６】
請求項１５記載のコンテンツ管理装置において、前記論理コンテンツを構成するオリジナルコンテンツの個々のデータが一つのファイルの一部であるか、またはオリジナルコンテンツの個々のデータ間の内容に重複があることを特徴とするコンテンツ管理装置。
【請求項１７】
請求項１１乃至請求項１６のいずれかに記載のコンテンツ管理装置において、コンテンツを示す内容記述情報として、内容について属性を記述することを特徴とするコンテンツ管理装置。
【請求項１８】
請求項１７記載のコンテンツ管理装置において、内容記述情報が論理構造を有することを特徴とするコンテンツ管理装置。
【請求項１９】
請求項１１乃至請求項１６のいずれかに記載のコンテンツ管理装置において、一括して管理する対象となるデータとして、請求項１７または請求項１８記載の内容記述情報を含むことを特徴とするコンテンツ管理装置。
【手続補正３】
【補正対象書類名】明細書
【補正対象項目名】０００５
【補正方法】変更
【補正の内容】
【０００５】
また、請求項５記載の発明では、請求項１乃至請求項４記載の発明のいずれかにおいて、オリジナルコンテンツが複数のデータから構成されている場合、複数のオリジナルコンテンツのデータから成る論理コンテンツに対する各データの割り付け位置と割り付けた長さを管理する管理情報を有し、その管理情報を含めて一括して管理する構成にした。また、請求項６記載の発明では、請求項５記載の発明において、前記論理コンテンツを構成するオリジナルコンテンツの個々のデータが一つのファイルの一部であるか、またはオリジナルコンテンツの個々のデータ間の内容に重複がある構成にした。
また、請求項７記載の発明では、請求項１乃至請求項６記載の発明のいずれかにおいて、コンテンツを示す内容記述情報として、内容について属性を記述する構成にした。
また、請求項８記載の発明では、請求項７記載の発明において、内容記述情報が論理構造を有する構成にした。
また、請求項９記載の発明では、請求項１乃至請求項６記載の発明のいずれかにおいて、一括して管理する対象となるデータとして、請求項７または請求項８記載の内容記述情報を含む構成にした。
また、請求項１０記載の発明では、プログラムを記憶した記録媒体において、請求項１乃至請求項９記載のコンテンツ管理方法のいずれかに従ってプログラミングしたプログラムを記憶した。
また、請求項１１記載の発明では、一つのコンテンツを複数のデータ形式で管理することができるコンテンツ管理装置において、一つまたは複数のファイルから成るオリジナルコンテンツのデータと、そのオリジナルコンテンツのデータとは異なるデータ形式で表現した複数のデータとをまとめて、論理的な一つのコンテンツとして一括管理することを特徴とする。
また、請求項１２の発明では、請求項１１記載のコンテンツ管理装置において、コンテンツが映像データまたは音声データである場合、オリジナルコンテンツのファイルと、処理に適したデータ形式のファイル、または利用者の要求に応じて登録したファイルとを一括して管理することを特徴とする。
また請求項１３の発明では、請求項１２記載のコンテンツ管理装置において、前記処理を、データ編集、内容記述作業、または配信とすることを特徴とする。
また請求項１４の発明では、請求項１２または請求項１３記載のコンテンツ管理装置において、オリジナルコンテンツの登録以後、論理コンテンツを特定した処理要求に応じて要求された処理に適したデータ形式のファイルを作成するか、または自由なタイミングで予め想定した複数のデータ形式のファイルを自動的に作成することを特徴とする。
また、請求項１５の発明では、請求項１１乃至請求項１４のいずれかに記載のコンテンツ管理装置おいて、オリジナルコンテンツが複数のデータから構成されている場合、複数のオリジナルコンテンツのデータから成る論理コンテンツに対する各データの割り付け位置と割り付けた長さを管理する管理情報を有し、その管理情報を含めて一括して管理することを特徴とする。
また、請求項１６の発明では、請求項１５記載のコンテンツ管理装置において、前記論理コンテンツを構成するオリジナルコンテンツの個々のデータが一つのファイルの一部であるか、またはオリジナルコンテンツの個々のデータ間の内容に重複があることを特徴とする。
また請求項１７の発明では、請求項１１乃至請求項１６のいずれかに記載のコンテンツ管理装置において、コンテンツを示す内容記述情報として、内容について属性を記述することを特徴とする。
また、請求項１８の発明では、請求項１７記載のコンテンツ管理装置において、内容記述情報が論理構造を有することを特徴とする。
また、請求項１９の発明では、請求項１１乃至請求項１６のいずれかに記載のコンテンツ管理装置において、一括して管理する対象となるデータとして、請求項１７または請求項１８記載の内容記述情報を含むことを特徴とする。
【手続補正４】
【補正対象書類名】明細書
【補正対象項目名】００１２
【補正方法】変更
【補正の内容】
【００１２】
【発明の効果】
以上説明したように、本発明によれば、請求項１、１１記載の発明では、一つのコンテンツを複数のデータ形式で管理することができるコンテンツ管理方法において、一つまたは複数のファイルから成るオリジナルコンテンツのデータと、そのオリジナルコンテンツのデータとは異なるデータ形式で表現した複数のデータとがまとめられて、論理的な一つのコンテンツとして一括管理されるので、映像コンテンツや音声コンテンツなど複数ファイルにまたがる長いコンテンツを含む保管された各種データ種のコンテンツに対して、利用者はデータ形式を意識することなく、自分の意図した単位でコンテンツを取り出したりすることができるし、論理的なコンテンツ単位での登録、削除、検索が可能になる。
また、請求項２、１２記載の発明では、コンテンツが映像データまたは音声データである場合、オリジナルコンテンツのファイルと、処理に適したデータ形式のファイル、または利用者の要求に応じて登録したファイルとが一括して管理されるので、利用者はデータ形式を意識しなくても処理に適したデータ形式のコンテンツを取り出すことができるし、関連するファイルを自由に、まとめて登録しておき、取り出すことができる。
また、請求項３、１３記載の発明では、オリジナルコンテンツのファイルと、データ編集、内容記述作業、または配信に適したデータ形式のファイルとが一括して管理されるので、利用者はそのような処理に適したデータ形式のコンテンツをデータ形式を意識することなく取り出すことができる。
また、請求項４、１４記載の発明では、オリジナルコンテンツの登録以後、論理コンテンツを特定した処理要求に応じて要求された処理に適したデータ形式のファイルが作成されるか、または自由なタイミングで予め想定した複数のデータ形式のファイルが自動的に作成されるので、処理に適したデータ形式のファイルを、人手を煩わすことなく用意することができる。
【手続補正５】
【補正対象書類名】明細書
【補正対象項目名】００１３
【補正方法】変更
【補正の内容】
【００１３】
また、請求項５、１５記載の発明では、オリジナルコンテンツが複数のデータから構成されている場合、複数のオリジナルコンテンツのデータから成る論理コンテンツに対する各データの割り付け位置と割り付けた長さを管理する管理情報を含めて一括して管理されるので、論理的なストリームとして全体がきちんとつながった論理コンテンツを生成することができる。
また、請求項６、１６記載の発明では、論理コンテンツを構成するオリジナルコンテンツの個々のデータが一つのファイルの一部であったり、またはオリジナルコンテンツの個々のデータ間の内容に重複があったりしてもよいので、利用者の意図に合った論理コンテンツをつくることができる。
また、請求項７、１７記載の発明では、コンテンツを示す内容記述情報として、属性が記述されるので、利用者はコンテンツがどのようなものかを容易に知ることができるし、コンテンツ検索システムから利用してマルチメディアデータに対する検索を容易に行うことができる。
また、請求項８、１８記載の発明では、論理構造を有した表現形式で属性が記述されるので、コンテンツがさらにわかりやすくなる。
また、請求項９、１９記載の発明では、一括して管理する対象となるデータとして、請求項７または請求項８記載の内容記述情報が含まれるので、その内容記述情報が対象としている論理コンテンツから内容記述情報を取り出すことができ、したがって、内容記述情報が取り出しやすくなる。
また、請求項１０記載の発明では、請求項１乃至請求項９記載のコンテンツ管理方法のいずれかを実施するためのプログラムが例えば着脱可能な記録媒体に記憶されるので、その記録媒体をこれまで請求項１乃至請求項９記載の発明によったコンテンツ管理ができなかったパーソナルコンピュータなど情報処理装置に装着することにより、その情報処理装置においても請求項１乃至請求項９記載の発明の効果を得ることができる。